(57)【要約】【課題】少ない電力消費で蓄電装置に搭載される電池の充放電曲線を精度良く推定する電池の充放電曲線推定装置及び、その充放電曲線推定方法を提供する。【解決手段】電池の充放電曲線推定装置は、測定値から求められた放電電圧と充電上限電圧との差電圧を用いて、予め求められた差電圧と、二次電池の充放電容量とにより関連づけた充放電曲線を推定する。【選択図】図２
2017220293.tif 000002
【特許請求の範囲】
【請求項１】
二次電池の充電状態を検知し、予め定めた充電上限電圧まで満充電させる充電部と、満充電された前記二次電池に対して、負荷を電気的に接続し、前記二次電池から電力を放電させる放電部と、
前記放電部による放電が開始されてから、前記二次電池内で電荷移動に伴う過渡応答が消失する時間経過後から予め規定された時間範囲内で計測を開始して、放電電圧を測定する電圧測定部と、
測定値から求められた前記放電電圧と前記充電上限電圧との差電圧を用いて、予め求められた差電圧と前記二次電池の充放電容量とにより関連づけた充放電曲線を推定する推定演算処理部と、を備える電池の充放電曲線推定装置。
【請求項２】
電池の充放電曲線推定装置により二次電池の充放電曲線を推定する方法であって、
二次電池を予め設定された充電上限電圧Vcまでの満充電処理と、前記満充電処理の後で電池温度を周囲温度に馴らす安定化処理と、前記安定化処理の後で実施される放電処理と、前記二次電池の所定の充電容量における推定充電電圧Vpcを、複数の充電容量において計算し推定する充電電圧推定処理と、前記二次電池の所定の放電容量における推定放電電圧Vpdを、複数の充電容量において計算し推定する放電電圧推定処理と、を有し、
前記充放電曲線の推定は、前記放電処理中において電荷移動に伴う過渡応答が消失後に規定された時間の範囲内で計測が開始されて取得された放電電圧Vdと前記充電上限電圧Vcとの差電圧Veが計算され、予め求められた前記差電圧Veと所定の充電容量における推定充電電圧Vpcの関係式、
Ve = Vc - Vd、
Vpc = An × Ve + Bn（An及びBnは定数）
に基づいて、前記差電圧Veから算出された所定の充電容量における推定充電電圧Vpcを計算して推定し、さらに、予め求められた前記差電圧Veと前記二次電池の所定の放電容量における推定放電電圧Vpdの関係式、
Ve = Vc - Vd、
Vpd =Cn × Ve +Dn（Cn及びDnは定数）
に基づいて、前記差電圧Veから算出された所定の放電容量における推定放電電圧Vpdを計算して推定する充放電電圧推定処理から、複数の前記推定充電電圧Vpcに基づいて近似曲線を求めることにより充電曲線を推定し、複数の前記推定放電電圧Vpdに基づいて近似曲線を求めることにより放電曲線を推定することにより、充放電曲線を推定することを特徴とする蓄電システムに搭載された電池の充放電曲線推定方法。
【請求項３】
前記差電圧Veと所定の充電容量における推定充電電圧Vpcの関係式、
Ve = Vc - Vd、
Vpc = An × Ve + Bn（An及びBnは定数）
における定数AnおよびBn、並びに
前記差電圧Veと前記二次電池の所定の放電容量における推定放電電圧Vpdの関係式、
Ve = Vc - Vd、
Vpd =Cn × Ve + Dn（Cn及びDnは定数）
における定数CnおよびDnが、複数の充放電サイクルから得られた充放電結果に基づき、最小二乗法による線形近似によって求められることを特徴とする請求項２に記載の電池の充放電曲線推定方法。
【発明の詳細な説明】
【技術分野】
【０００１】
本発明は、二次電池の充放電曲線を推定する電池の充放電曲線推定装置及び、その充放電曲線推定方法に関する。
【背景技術】
【０００２】
一般に、充電により再利用可能で高性能な二次電池として、リチウムイオン電池が多種多様な機器の電源として利用されている。このリチウムイオン電池は、携帯可能な小型電子機器からビルディング等の大型建造物内に設置される蓄電装置等の大容量機器まで用いられている。例えば、大型建造物内に設置される蓄電装置に搭載されているリチウムイオン電池は、電力需要を低減するピークカットや、夜間電力を蓄電して昼間に使用するピークシフトを目的として、または災害対策用の非常用電源として利用されている。
【０００３】
この大容量蓄電装置の多くは、交流の送配電系統と、直流出力のリチウムイオン電池との間を双方向インバータで中継して系統的に連系され、双方向インバータにとって変換効率の高い電力値で出入力するように設計されている。搭載されたリチウムイオン電池は、単体、ユニット毎、全体のいずれか、または全てを単位として、出力電圧又は残存容量が計測され、過充電や過放電が発生しないように、設定された上限又は下限の電圧に達した時に、双方向インバータとの出入力が遮断される。また同様に、リチウムイオン電池の温度が常時、計測され、過熱又は過冷却された状態で稼働されないように制御されている。
【０００４】
このような大容量の蓄電装置は、ピークカットやピークシフトによる電気料金削減から得られる経済効果をできる限り多く享受するため、または将来の災害に備えるために長期間使用することが想定される。リチウムイオン電池は、メモリ効果を有していないが、使用開始からの時間経過（充電回数）に従い、電極等が劣化し、徐々に残存容量が低下する特性（所謂、電池容量劣化）を有している。このようなリチウムイオン電池を用いた大容量の蓄電装置における使用者や管理者にとっては、リチウムイオン電池の劣化状態の管理が重要な関心事となっている。
【先行技術文献】
【特許文献】
【０００５】
【特許文献１】特開２０１４-０４４１４９号公報
【特許文献２】特開２００２-１３１４０２号公報
【発明の概要】
【発明が解決しようとする課題】
【０００６】
通常、現在のリチウムイオン電池の劣化状態の管理方法の一つである残存容量を知るためには、定められた条件で電池を満充電した後、放電した時の電池の電圧値を測定している。電池の充電時および放電時の電池電圧と電池容量の関係を示すグラフ、いわゆる、充放電曲線を直接測定することで、正確な残存容量を知ることができ、劣化状態を精度良く把握し管理することができる。しかし、この測定方法では、充放電に時間を要するという課題があり、これに対して例えば、特許文献１には、放電容量を測定せずに、複数周波数でのインピーダンスと放電容量の関係を利用した残存容量推定方法が提案されている。この推定方法は、家庭用等の小容量の蓄電装置に対して簡易に適用できる反面、大容量の蓄電装置の場合、インピーダンス測定ユニットと、これを制御し演算する制御ユニットを別途、搭載しなければならず、装置全体が複雑化し、製造及び運用のコストが増大することとなる。また、既存の大容量の蓄電装置に対しては、後付けによる対応ができない場合もある。
【０００７】
また例えば、特許文献２においては、満充電したリチウムイオン電池を放電し、放電開始から所定時間の経過後に、２時点で計測した放電電圧の差を用いて、電池の残存容量を推定する測定方法が提案されている。この測定方法においては、有効なデータを得るために、リチウムイオン電池から所定時間の放電が必須である。大容量蓄電システムに適用する場合、充電回数に限りがあるため、放電時間をより少なくしなければ、残存容量推定を行うために無駄に多くの電力量を消費し、電池寿命を早めてしまう。なお、これらの方法は、残存容量を推定することはできるが、充放電曲線そのものを推定することはできないので、劣化状態を管理する上では不十分であった。
【０００８】
さらに、遠隔して建造された複数の大型建造物のそれぞれに大容量の蓄電装置を設置し、集中管理を行う蓄電システムを構築した場合には、各蓄電装置の稼働状態に関する情報（例えば、電池の出力電力値や残存容量等）を一括的に集中させて取得する必要がある。これらの情報は、専用のネットワーク回線又は、一般のネットワーク通信網（例えば、インターネット）を通じて、送受信される。このため、それぞれ蓄電装置から発信される情報量が大きい程、通信時間を要することとなり、通信回数（蓄電装置数）によっては、ネットワークの占有時間が膨大となり、インターネットを利用した場合には、他の機器に対して通信障害となり得る。従って、通信される情報は、必要最小限の情報量とすることが望まれている。
【０００９】
そこで本発明は、二次電池の充放電曲線を精度良く推定し、装置構成の複雑化及びコスト増大を抑制し、且つネットワーク通信に好適する情報量で通信することができる電池の充放電曲線推定装置及び、その充放電曲線推定方法を提供することを目的とする。
【課題を解決するための手段】
【００１０】
上記目的を達成するために、本発明に従う実施形態は、二次電池の充電状態を検知し、予め定めた充電上限電圧まで満充電させる充電部と、満充電された前記二次電池に対して、負荷を電気的に接続し、前記二次電池から電力を放電させる放電部と、放電が開始されてから、前記二次電池内で電荷移動に伴う過渡応答が消失する時間経過後から予め規定された時間範囲内で計測を開始して、放電電圧を測定する電圧測定部と、測定値から求められた前記放電電圧と前記充電上限電圧との差電圧を用いて、予め求められた差電圧と前記二次電池の充放電容量とにより関連づけた充放電曲線を推定する推定演算処理部と、を備える電池の充放電曲線推定装置を提供する。
【００１１】
さらに、本実施形態は、電池の充放電曲線推定装置により二次電池の充放電曲線を推定する方法であって、二次電池を予め設定された充電上限電圧Vcまでの満充電処理と、前記満充電処理の後で電池温度を周囲温度に馴らす安定化処理と、前記安定化処理の後で実施される放電処理と、前記二次電池の所定の充電容量における推定充電電圧Vpcを、複数の充電容量において計算し推定する充電電圧推定処理と、前記二次電池の所定の放電容量における推定放電電圧Vpdを、複数の充電容量において計算し推定する放電電圧推定処理と、を有し、前記充放電曲線推定処理は、前記放電処理中において電荷移動に伴う過渡応答が消失後に規定された時間の範囲内で計測が開始されて取得された放電電圧Vdと前記充電上限電圧Vcとの差電圧Veが計算され、予め求められた前記差電圧Veと所定の充電容量における推定充電電圧Vpcの関係式、Ve = Vc - Vd、Vpc = An × Ve + Bn（An及びBnは定数）に基づいて、前記差電圧Veから算出された所定の充電容量における推定充電電圧Vpcを計算して推定し、さらに、予め求められた前記差電圧Veと前記二次電池の所定の放電容量における推定放電電圧Vpdの関係式、Ve = Vc - Vd、Vpd =Cn × Ve + Dn（Cn及びDnは定数）に基づいて、前記差電圧Veから算出された所定の放電容量における推定放電電圧Vpdを計算して推定する充放電電圧推定処理から、複数の前記推定充電電圧Vpcに基づいて近似曲線を求めることにより充電曲線を推定し、複数の前記推定放電電圧Vpdに基づいて近似曲線を求めることにより放電曲線を推定することにより、充放電曲線を推定することを特徴とする蓄電システムに搭載された電池の充放電曲線推定方法を提供する。
【発明の効果】
【００１２】
本発明によれば、大容量の蓄電装置に搭載される電池の充放電曲線を精度良く推定し、装置構成の複雑化及びコスト増大を抑制し、且つネットワーク通信に好適する情報量で通信することができる電池の充放電曲線推定装置及び、その充放電曲線推定方法を提供することができる。
【図面の簡単な説明】
【００１３】
【図１】図１は、実施形態に係る充放電曲線推定装置を搭載する蓄電システムの構成を示すブロック図である。
【図２】図２は、複数の蓄電装置がネットワーク通信を行う蓄電システムの構成例を示す図である。
【図３】図３は、電池の充放電曲線推定装置の構成例を示すブロック図である。
【図４】図４は、充放電曲線推定装置による充放電曲線推定方法について説明するためのフローチャートである。
【図５Ａ】図５Ａは、充電曲線の充電容量２Ａｈにおける差電圧と充電電圧の関係を示す図である。
【図５Ｂ】図５Ｂは、充電曲線の充電容量５Ａｈにおける差電圧と充電電圧の関係を示す図である。
【図５Ｃ】図５Ｃは、充電曲線の充電容量１０Ａｈにおける差電圧と充電電圧の関係を示す図である。
【図５Ｄ】図５Ｄは、充電曲線の充電容量２０Ａｈにおける差電圧と充電電圧の関係を示す図である。
【図５Ｅ】図５Ｅは、充電曲線の充電容量３０Ａｈにおける差電圧と充電電圧の関係を示す図である。
【図５Ｆ】図５Ｆは、充電曲線の充電容量４０Ａｈにおける差電圧と充電電圧の関係を示す図である。
【図６Ａ】図６Ａは、放電曲線の放電容量０Ａｈにおける差電圧と放電電圧の関係を示す図である。
【図６Ｂ】図６Ｂは、放電曲線の放電容量１０Ａｈにおける差電圧と放電電圧の関係を示す図である。
【図６Ｃ】図６Ｃは、放電曲線の放電容量２０Ａｈにおける差電圧と放電電圧の関係を示す図である。
【図６Ｄ】図６Ｄは、放電曲線の放電容量３０Ａｈにおける差電圧と放電電圧の関係を示す図である。
【図６Ｅ】図６Ｅは、放電曲線の放電容量４０Ａｈにおける差電圧と放電電圧の関係を示す図である。
【図６Ｆ】図６Ｆは、放電曲線の放電容量４５Ａｈにおける差電圧と放電電圧の関係を示す図である。
【図７】図７は、電池の充放電曲線推定方法により推定された充電・放電電曲線結果と、実測定した測定値による充電・放電電曲線結果における充放電電圧の推移を示す図である。
【発明を実施するための形態】
【００１４】
以下、図面を参照して本発明の実施形態について詳細に説明する。  
図１は、第１の実施形態に係る電池の充放電曲線推定装置を搭載する蓄電装置の構成を示している。図２は、複数の蓄電装置がネットワーク通信を行う蓄電システムの構成例を示す図である。図３は、電池の充放電曲線推定装置の構成例を示す図である。
【００１５】
この蓄電装置１は、主として、パワーコンディショナ（Power conditioning system）２と、電池モジュール３と、バッテリー管理部（バッテリーマネジメントユニットBMU:Battery Management Unit）４と、エネルギー管理部（エネルギーマネジメントユニットEMU:Energy Management Unit 又はEMS:Energy Management system）５と、充放電曲線推定装置６と、電池温度測定部７と、で構成される。尚、図示していないが、通常の蓄電装置が備えている構成部位は、本実施形態の蓄電装置も備えているものとし、詳細な説明は省略する。
【００１６】
パワーコンディショナ２は、外部の電化力会社等の電力系統９から供給された電力や太陽光発電システムから供給された電力又は、電池モジュール３から供給された電力を、特定負荷８を含む電気駆動機器に利用できるように変換する所謂、変換器として作用する。さらに、電池を充電する充電器の機能を有していてもよい。例えば、特定負荷８が交流電力で駆動する電気機器であれば、電池モジュール３から供給された直流電力を交流電力の電力形態に変換する。また、特定負荷８の電気機器によっては、電力の電圧値を昇圧させてもよい。さらに、パワーコンディショナ２は、特定負荷８への電力供給だけではなく、電力系統９から供給された電力の消費が最大となる際に、電池モジュール３に蓄電されたエネルギーを放出させて、電力系統９から供給される電力の消費を低減させることもできる。この場合、放電後の電池モジュール３に対して、深夜等の電力需要が低下した際に、パワーコンディショナ２を通じて、満充電まで充電させることができる。
【００１７】
蓄電装置１の電力供給先である特定負荷８は、電力系統９から電力の供給が停止した際（例えば、停電時）に、電力を供給すべき機器を想定しており、例えば、コンピュータ等の電子機器や通信機器等があり、電源バックアップのための電力供給が行われる。
【００１８】
電池モジュール３は、直流電流電圧を出力する二次電池（蓄電池）１１と、セル監視部（セルモニタユニットCMU:Cell Monitor Unit）１２と、保護部１３と、を備えている。電池モジュール３は、特定負荷等の電力供給量における設計に従い、その数量が適宜設定され、大容量の二次電池を形成する場合には、複数の電池モジュール３を電気的に接続して、１台の電池パックとして構成することがある。また、本実施形態では、充放電曲線推定の対象となる二次電池１１として、リチウムイオン電池を一例に説明するが、これに限定されるものではなく、リチウムイオン電池と同様に、メモリ効果が小さく、且つ自己放電特性が良好な電池であれば、異なる構造の電池にも容易に適用でき、例えば、リチウムイオン電池から改良されたナノワイヤーバッテリー等に適用することも可能である。
【００１９】
本実施形態の二次電池１１は、電池内部材料（電極材料等）やセル構造に限定されず、外装材の形態においても、円筒缶型、角形缶型及び、ラミネート型等がある。電池モジュール３を構成する二次電池１１の接続形態は、単電池、直列組電池又は、並列組電池等の公知な接続形態が適用できる。
【００２０】
電池温度測定部７は、各二次電池１１に接するように配置された図示しない温度センサにより温度を測定する。装置内におけるリチウムイオン電池の使用可能な周囲温度は、略５〜４０℃の範囲であるが、設置環境（寒冷地や熱帯地）に応じて、必要であれば、装置内に電池用温調機構を搭載することも可能である。この電池用温調機構は、電池温度測定部７により測定された温度に基づいて、予め設定された温度範囲の上限又は加減を超えた場合に、電池性能が低下しないように、前述した二次電池１１の使用可能な範囲内（５〜４０℃程度）に温度調整を行うためのファンやヒータにより構成される。勿論、以後の電池改良により、二次電池１１の使用可能な温度範囲が広がった場合には、それらすべての温度範囲に対応することができる。
【００２１】
セル監視部１２は、単電池（又は単セル）の二次電池１１毎の出力電圧、電流及び温度を継続的に計測し、測定結果をバッテリー管理部４に送信する。特に、後述する演算制御部１４の制御に従い、充放電曲線推定のための放電処理中において、電荷移動に伴う過渡応答が消失する放電時間の中から規定された一定時間内に放電電圧Vｄを計測する。
【００２２】
さらに、セル監視部１２は、二次電池１１から取得した出力電圧、電流及び温度をモニタ情報としてバッテリー管理部４に送信する。バッテリー管理部４は、受信したモニタ情報に基づき、過充電、過放電及び温度上昇等の異常発生を判断し、保護部１３を制御して、二次電池１１に対する充電又は出力（放電）を停止させて、過充電及び過放電を防止する。尚、保護部１３は、二次電池１１の故障等による緊急な異常が発生した場合、電気的な遮断により二次電池１１に対する充電又は出力（放電）を停止させる。さらに、バッテリー管理部４へ異常を通知することで、危険を回避する機能を持たせてもよい。尚、異常発生の判断は必須であるが、その判断機能は、電池モジュール３側のセル監視部１２又は、蓄電装置１側のバッテリー管理部４のいずれかに搭載すればよいが、それぞれに搭載して二重の判断で安全性を高めてもよい。二重の判断では、判断の順番を予め決めて、例えば、セル監視部１２が最初に異常発生の判断を行い、後にバッテリー管理部４が２度目の異常発生の判断行う。この時の判断処置としては、通常、２つの判断部のうち、いずれか一方が異常と判断した場合には、保護部１３による保護動作を実行する。尚、設計思想にもよるが、両方が異常と判断した場合のみに、保護部１３による保護動作を実行し、一方のみの場合には、警告を発生する構成も可能である。
【００２３】
さらに、バッテリー管理部４は、それぞれの電池モジュール３のセル監視部１２から送信されたモニタ情報を一元的に集約して、上位のエネルギー管理部５へ送信する。このエネルギー管理部５は、これらのモニタ情報に基づき、パワーコンディショナ２に対して、電池モジュール３の充電及び放電を指示する。パワーコンディショナ２は、指示に従い、電池モジュール３の充電及び放電を制御する。
【００２４】
エネルギー管理部５は、演算制御部１４と、表示部１５と、サーバー１６と、インターフェース部１７とで構成される。  
演算制御部１４は、コンピュータの演算処理部等と同等の機能を有し、バッテリー管理部４への電池モジュール３に対する充電及び放電の指示や、パワーコンディショナ２への電池モジュール３の充電及び放電への指示を行う。また、電池モジュール３毎に充電上限電圧値や放電下限電圧値が予め設定されており、エネルギー管理部５から送信されたモニタ情報に基づき、充電停止や放電停止の指示を行う。
【００２５】
表示部１５は、例えば、液晶表示ユニットにより構成され、演算制御部１４の制御により、蓄電装置１の稼働状況や電池モジュール３（二次電池１１）の残存容量等、及び警告事項を表示する。また、表示部１５は、タッチパネル等を採用して、入力デバイスとして用いてもよい。
【００２６】
サーバー１６は、エネルギー管理部５に送信された蓄電装置１の稼働状況や電池モジュール３等に関するモニタ情報や充放電曲線に関する情報等における最新情報を随時、蓄積するように格納する。インターフェース部１７は、図２に示すように、インターネット等のネットワーク通信網１８を通じて、外部に設置された集中管理システム１９に対して、通信を行う。
【００２７】
本実施形態では、エネルギー管理部５内にインターフェース部１７及びサーバー１６が含まれる構成を例としているが、別途、インターフェース部及びサーバー１６をエネルギー管理部５外に配置する構成でもよい。複数の蓄電装置１は、ネットワーク通信網１８を介在させることで、集中管理システムの設置位置から離れた遠隔地にそれぞれに設置される構成も考えられる。
【００２８】
複数の蓄電装置１のサーバー１６に格納されている情報をネットワーク通信網１８を介して、順次、集中管理システム１９に送信することで、一元的に管理することができる蓄電管理システムを構築することができる。この場合、後述するように、ネットワーク上を通信される情報のデータ量によって、通信時間が掛かることとなり、少ない情報量の通信が好ましい。
【００２９】
図３は、電池の充放電曲線推定装置６の構成例を示している。  
この充放電曲線推定装置６は、充電用電源部２２と、放電部２３と、放電用負荷部２４と、電圧測定部２５と、時間計測部２６と、推定演算処理部２７とで構成される。  
充放電曲線推定装置２１は、電池モジュール３内の二次電池１１における充放電曲線を推定する。推定された各二次電池１１の充放電曲線は、サーバー１６に格納される。
【００３０】
充電用電源部２２は、二次電池１１の定格にあった直流電流電圧を二次電池１１へ出力し、満充電する。この充電用電源部２２は、二次電池１１の充放電曲線を推定するための専用の電源として設けているが、通常、蓄電装置内又はパワーコンディショナ２内に設けられている電池充電用電源部を用いてもよい。本実施形態では、電圧測定部２５と充電用電源部２２とで充電部を構成する。
【００３１】
放電部２３は、放電用負荷部２４を備えて、図示しないスイッチ操作により、二次電池１１と電気的に放電用負荷部２４に接続して、二次電池１１から所定の電力量（ここでは、定電流又は定電圧を想定する）を放電させる。この放電用負荷部２４は、抵抗体又は電子負荷であってもよいが、これらの専用負荷を設けずに、負荷を模擬して電力系統に回生させてもよい。
【００３２】
電圧測定部２５は、電池モジュール３（二次電池１１）が出力する直流電圧を測定する。その測定タイミングは、後述するが、放電によって電荷移動に伴う過渡応答が消失する時間を経過した後の規定された時間内で電池モジュール３から出力された直流電圧を測定する。尚、電圧測定の実施については、実際に電圧測定しなくとも、バッテリー管理部４から送信され、エネルギー管理部５のサーバー１６に格納されたモニタ情報に含まれる電圧値を流用することも可能である。時間計測部２６は、電池モジュール３から電力が放電されている時間を計時するためのタイマである。
【００３３】
推定演算処理部２７は、後述する線形関係式を用いた演算アルゴリズムを格納し、測定された二次電池１１の電圧値に基づき、充放電曲線を推定する演算処理部（CPU等）である。この推定演算処理部２７は、電池の充放電曲線推定装置６内に専用に設けなくとも、エネルギー管理部５の演算制御部１４に処理機能を代用させることも可能である。
【００３４】
次に、図４に示すフローチャートを参照して、本実施形態の充放電曲線推定装置による充放電曲線推定方法について説明する。  
まず、蓄電装置１に搭載されている電池モジュール３の二次電池１１における充電状態を電圧測定部２５が測定した電圧が予め設定された満充電状態である充電上限電圧Vcharge-max（以下、 Vcとする）か否かを判断する（ステップＳ１）。この判断で、満充電状態ではない場合には（ＮＯ）、充電用電源部２２により、二次電池１１が充電上限電圧Vcに到達するまで充電を行う（ステップＳ２）。
【００３５】
この満充電処理を行う際に、二次電池１１が充電上限電圧Vcを超えた充電が行われないように監視して制御する。充電方式としては、定電流、定電流定電圧、定電力または定電力定電圧のいずれかを採用することができる。定電流または定電力の方式を採用した場合は、充電しながら二次電池１１の電圧を測定し、充電上限電圧Vcに達した時に充電を停止する。また、定電流定電圧または定電力定電圧の方式を採用した場合は、電池の電圧が充電上限電圧Vcに達した時から電池電圧を充電上限電圧Vcに維持しながら充電電流を絞ってゆき、充電上限電圧Vcへの到達から、予め定められた一定時間を時間測定装置が計測した時、または充電電流が予め定められた一定値まで絞られた時に充電を停止する。これらの充電作業は、条件設定による自動制御であってもよいし、測定担当者による手動制御であってもよい。
【００３６】
この充電処理完了の後に、電池温度測定部７により二次電池１１の温度を測定し、充電によって上昇した電池温度が周囲温度になじむまで放置する安定化処理を行う（ステップＳ３）。尚、安定化処理において、周囲温度になるまでの必要時間は、一元的なものではなく、二次電池１１の種別により異なっている。一方、ステップＳ１の判断で、二次電池１１が略充電上限電圧Vc（満充電状態）であった場合には（ＹＥＳ）、電池の充放電曲線推定を行う。
【００３７】
まず、放電部２３により二次電池１１を放電用負荷部２４に電気的に接続して放電を開始すると共に、時間計測部２６において、時間の計測を開始する（ステップＳ４）。この放電方式としては、定電流または定電力のいずれかを選択することができる。  
放電開始後、後述する電荷移動に伴う過渡応答が消失する時間により定められた規定時間の範囲内に入ったか否かを判断する（ステップＳ５）。この判断で、規定時間内に達したならば（ＹＥＳ）、電圧測定部２５で二次電池１１の放電電圧Vdischarge（以下、Vdとする）を測定する（ステップＳ６）。
【００３８】
次に、放電電圧Vdの測定が終了した又は、放電開始後、時間計測部２６に計測された時間が規定時間の範囲を超えたか否かを判断する（ステップＳ７）。この判断で、電圧測定が終了又は時間計測部２６で計測された時間が規定時間の範囲を超えた場合には（ＹＥＳ）、放電部２３により二次電池１１の放電が停止される（ステップＳ８）。一方、計測された時間が規定時間の範囲を超えた際に（ＮＯ）、放電を停止する。但し、規定時間の範囲に放電電圧Vdの測定が開始されていたならば、測定終了まで放電を継続させる。尚、この規定時間の範囲内で放電電圧Vdが測定できなかった場合には、エラーとして測定者又は管理者に告知する。尚、この計測のための放電は、実際に利用する時の放電開始時を利用してもよく、放電の開始から計測の規定時間を超えた場合でも、その状況により、放電を継続させる場合がある。勿論、計測の規定時間後に放電を停止してもよい。
【００３９】
続いて、後述する充放電曲線推定処理を行い（ステップＳ９）、取得した放電電圧Vdに基づき、後述する線形関係式を用いて、所定の充電容量における推定充電電圧Vpcおよび所定の放電容量における推定放電電圧Vpdを求める。求められた推定充電電圧Vpcおよび推定放電電圧Vpdから、充放電曲線を推定し、推定された充放電曲線は、エネルギー管理部５のサーバー１６に格納される（ステップＳ１０）。格納された充放電曲線は、要求によりサーバー１６から読み出されて表示部１５に表示される。尚、充放電曲線推定処理において、充電上限電圧Vcに充電処理又は電池温度安定化、又は放電処理の際に行う電圧測定は、単電池に対して実施されてもよく、また、単電池が、組電池ユニットの中に並列又は直列で複数接続された単電池であってもよい。さらに、充電処理又は電池温度安定化又は放電処理の際の電圧測定が、単電池を並列又は直列に接続した組電池ユニットに対して実施されてもよく、組電池ユニットが、蓄電システムの電池部として並列又は直列に複数接続された組電池ユニットであってもよい。
【００４０】
ここで、前記ステップＳ５における放電電圧Vdを測定する規定時間について説明する。  
放電部２３により、電池モジュール３を放電用負荷部２４へ電気的に接続することで放電が開始される。本実施形態では、放電開始直後から放電電圧Vdの測定を開始するのではなく、電荷移動に伴う過渡応答が消失する時間に至るまで待機する。ここでいう電荷移動は、電子が電池（リチウムイオン電池）１１内部の正負極活物質および集電体を通って、リチウムイオンに出入りする現象であり、これによって特定の時定数を持った電荷移動抵抗と呼ばれる成分が発現し、過渡応答となって現れる。リチウムイオン電池の電荷移動抵抗は、交流インピーダンス測定によって計測され、その応答は、一般的に１Hz以上の周波数領域に出現すると考えられている。従って、電荷移動に伴う過渡応答は、１秒程度の放電時間において消失すると考えられる。
【００４１】
本実施形態では、予め測定した測定結果における検討より、規定時間の範囲を設定している。ここでは、放電開始から放電電圧Vdの測定を行う規定時間範囲を２秒から２０秒に規定している。つまり、放電開始から電圧測定の開始までの待機時間は、２秒となる。この待機時間が２秒より短いと、電荷移動に伴う過渡応答の消失が影響して、所定の充電容量における推定充電電圧Vpcおよび推定放電電圧Vpdの推定精度が低下する虞がある。また、２０秒の規定は、２０秒あれば、電圧測定を開始するのに十分な時間であり、２０秒より長くても、所定の充電容量における推定充電電圧Vpcおよび推定放電電圧Vpdの推定精度の顕著な向上が期待できない上、長時間の放電によって、二次電池１１に蓄えられた電力量を多く消費することになる。
【００４２】
本実施形態では、規定時間範囲を２秒から２０秒までの間と設定して、この規定時間の範囲内で二次電池１１の放電電圧Vdの測定を開始する。電圧測定が終了した場合には、規定時間の範囲内、即ち、２０秒以内であっても二次電池１１の放電を停止する。また、放電開始後に経過した時間が規定時間の範囲を超えても電圧計測が開始されていない場合には、放電を停止し、測定エラーとして扱う。
【００４３】
次に、前記ステップＳ９における本実施形態の充放電曲線推定処理について説明する。  
まず、予め設定された充電上限電圧Vcと規定時間内で測定された放電電圧Vdとの差を差電圧Vdifference（以下、Veとする）とする。充放電曲線は、差電圧Veから推定される所定の充電容量における推定充電電圧Vpcおよび所定の放電容量における推定放電電圧Vpdとから求められる。
【００４４】
差電圧Veと所定の充電容量における推定充電電圧Vpcは、図５Ａに示すように、充電容量が４％（２Ah）以上の範囲で、直線的に増加する線形関係になっており、正の相関関係を示している。従って、それぞれの充電容量における差電圧Veと所定の充電容量における推定充電電圧Vpcの関係式が最小二乗法で線形近似して求められる。
【００４５】
予め求められた上限電圧差Veと推定充電電圧Vpcの関係式、
Ve =Vc - Vd
Vpc =An × Ve + Bn  （An及びBnは定数）
に基づき、上限電圧差Veから算出された推定充電電圧Vpcから、充電曲線が推定できる。ここで、関係式における定数AnおよびBnは、図５Ａ乃至図５Ｅに示したような電池モジュールの充放電サイクル試験で、上限電圧差Veと推定充電電圧Vpcの複数の充放電サイクルから得られた充電結果に基づき、最小二乗法による線形近似によって求められる。
【００４６】
一例として、図５Ａに示すように、規定時間が２０秒に設定され、充電容量が２Ahで、予め充放電試験によって、推定充電電圧Vpc＝０．４９６８×Ve＋３．４８５１の式が得られているものとする。上限電圧５０Ｖの充放電条件における満充電後の放電開始２０秒後の測定電圧が４９．８８Ｖであるとすると、差電圧Ve ＝５０−４９．８８＝０．１２Ｖであるから、推定充電電圧Vpcは、３．５４Ｖと推定される。実際の充電電圧は、３．５５Ｖだったので約０．０１６９の誤差率で推定することができる。
【００４７】
同様に、図５Ｂ乃至図５Ｆに示すように、充電容量が５Ah、１０Ah、２０Ah、３０Ah、４０Ahの場合の差電圧と推定充電電圧Vpcの関係式を求めることができる。すなわち、差電圧Veを測定することにより、各充電容量における充電電圧を推定することができる。  
このようにして推定された各充電容量における推定充電電圧Vpcから充電曲線を推定する。すなわち、各充電容量とその充電容量における推定充電電圧Vpcのデータから、最小二乗法により近似曲線を求めることにより、充電曲線を推定することができる。
【００４８】
また、差電圧Veと所定の充電容量における推定放電電圧Vpdは、図６Ａ乃至図６Ｆに示すように、放電容量が０％（０Ah）以上の範囲で、直線的に減少する線形関係になっており、負の相関関係を示している。従って、それぞれの充電容量における差電圧Veと所定の放電容量における推定放電電圧Vpdの関係式が最小二乗法で線形近似することにより求められる。すなわち、予め求められた上限電圧差Veと推定放電電圧Vpdの関係式、
Ve =Vc - Vd
Vpd =Cn×Ve + Dn  （Cn及びDnは定数）
に基づき、上限電圧差Veから算出された推定放電電圧Vpdから、放電曲線が推定できる。ここで、関係式における定数CnおよびDnは、図５Ａから５Ｆにそれぞれに示した電池モジュールの充放電サイクル試験で、上限電圧差Veと推定放電電圧Vpdの複数の充放電サイクルから得られた放電結果に基づき、最小二乗法による線形近似によって求められる。
【００４９】
一例として、図６Ｃに示すように、規定時間が２０秒に設定され、放電容量が２０Ahで、予め充放電試験によって、推定放電電圧Vpd＝−１．５７５７×Ve＋３．７３１４の式が得られているものとする。上限電圧５０Ｖの充放電条件における満充電後の放電開始２０秒後の測定電圧が４９．８２Ｖであるとすると、差電圧Ve ＝５０−４９．８２＝０．１８Ｖであるから、推定放電電圧Vpdは、３．５５Ｖと推定される。実際の放電電圧は、３．５６Ｖだったので、約０．０２８２の誤差率で推定することができる。
【００５０】
同様に、図６Ａ、図６Ｂ、図６Ｄ、図６Ｅ及び図６Ｆに示すように、充電容量が０Ah、１０Ah、３０Ah、４０Ah、４５Ahの場合の差電圧と推定充電電圧Vpcの関係式を求めることができる。すなわち、差電圧Veを測定することにより、各充電容量における充電電圧を推定することができる。
【００５１】
このようにして推定された各放電容量における推定放電電圧Vpdから放電曲線を推定する。すなわち、各放電容量とその放電容量における推定放電電圧Vpdのデータから、最小二乗法により近似曲線を求めることにより、放電曲線を推定することができる。
【００５２】
上述したように充放電曲線推定処理により、上限電圧差Veから充電曲線および放電曲線を推定することにより、充放電曲線が推定される。  
本実施形態の電池の充放電曲線推定方法は、電池本来の電圧である開放端電圧と、充電電圧または放電電圧の差分である過電圧を利用しているが、特に充電放電両方の過電圧を利用するため、測定分解能を変えることなく測定値が大きくなり、精度良く放電容量計算ができる点で有利である。
【００５３】
図７は、本実施形態の電池の充放電曲線推定方法により推定された電池容量０-５０Ａｈまで範囲における充電・放電電曲線結果（点線）と、実際に測定した測定値による充電・放電電曲線結果（実線）における充放電電圧の推移を示す図である。尚、これらの特性曲線においては、本来一致している箇所にあっても、点線と実線を重ね合わせて記載すると、実線のみの表示に見えるため、ここでは、点線は実線と接した状態で下位に記載している。
【００５４】
図７によれば、充電曲線は、本実施形態の前述した推定方法により推定した充電曲線と、計測により得られた充電曲線の推移は、ほぼ一致している。また、電池容量０Ah-５Ahの下限側の範囲では、推定された放電曲線が計測により得られた放電曲線の方よりも僅かに低く推移し、主となる電池容量５Ah〜４３Ah程度の範囲においては、推定された放電曲線と計測により得られた放電曲線と一致する。さらに、電池容量４２Ah以上の上限側の測定範囲では、推定された放電曲線が計測により得られた放電曲線の方よりも僅かに高く推移している。
【００５５】
以上のように電池容量０-５０Ａｈまで範囲において、充放電曲線推定方法により推定された充電・放電電曲線結果（点線）と、実際に測定した測定値による充電・放電電曲線結果（実線）における充放電電圧の推移がほぼ一致しており、推定結果を適正な判断の根拠として用いることがきる。
【００５６】
また本実施形態は、単電池だけでなく、単電池の容量または電圧が整数倍になった組電池ユニットに対しても当然有効である。近年の定置型蓄電システムに共通する定期的または常時の満充電処理、及び双方向インバータの高効率出力領域における定電力放電といった通常稼働中に必要な計測を実施することができる。  
本実施形態では、高価な装置または複雑なアルゴリズムを追加付与する必要が無いため、蓄電システムが複雑化または演算負荷増大またはコスト増大することなく、充放電曲線を推定できるので有用である。
【００５７】
さらに、電池の推定充放電曲線の情報量としては、例えば、放電出力が１時間率で行われた際に、計測サンプリングレートを１秒にとして仮定すると、従来の充放電曲線解析法を用いた場合には、３６００点のデータを必要とするが、本実施形態における充放電曲線推定方法では、放電時の規定時間内に計測する１点と充電上限電圧の１点による２点の情報量となり、従来の情報量からみれば、極少ない量となり得る。本実施形態における充放電曲線は、数十バイトの情報量が想定される。このため、多数の蓄電装置に対して、ネットワーク通信による一括的な集中管理システムに適用しても、データ通信に係る負荷が少なく、また、短時間で通信処理を完了させることができる。
【００５８】
以上のように本実施形態によれば、リチウムイオン電池の充放電曲線を推定することができる。さらに、推定により得られた充放電曲線は、精度が高く、システムの複雑化及び演算負荷増大及びコスト増大を伴わない充放電曲線の推定が可能となる。
【００５９】
以上説明した実施形態は以下の発明を含んでいる。  
（１）二次電池と、
外部の電力系統から供給される電力と前記二次電池の電力を必要な電力形態に変換して駆動機器に電力供給するパワーコンディショナと、
前記二次電池における出力電圧、電流及び温度を継続的に取得するバッテリー管理部と、
前記二次電池の充電状態を検知し、予め定めた充電上限電圧まで満充電させる充電部と、満充電された前記二次電池に対して、負荷を電気的に接続し、前記二次電池から電力を放電させる放電部と、放電の開始後で前記二次電池内で電荷移動に伴う過渡応答が消失する時間経過後から予め規定された時間範囲内で放電電圧の計測を開始する電圧測定部と、前記放電電圧と前記充電上限電圧との差電圧を用いて、予め求められた差電圧と前記二次電池の放電容量との特性から、前記二次電池の充放電曲線を推定する推定演算処理部とで構成される充放電曲線推定部と、
前記充放電曲線推定部から送信された前記二次電池の充放電曲線と、前記バッテリー管理部から送信された出力電圧、電流及び温度を随時、取得して、前記パワーコンディショナを駆動制御し、前記電力供給を制御するエネルギー管理部と、
を具備することを特徴とする蓄電装置。  
（２）前記エネルギー管理部は、前記二次電池から取得した前記充放電曲線、前記出力電圧、前記電流及び前記温度を更新可能に格納するサーバーと、
外部のネットワーク通信網に通信可能なインターフェース部を有することを特徴とする前記（１）に記載の蓄電装置。  
（３）ネットワーク通信網に前記インターフェース部を通じてアクセス可能に接続する複数の前記蓄電装置と、
前記ネットワーク通信網を通じて、前記サーバーに格納される前記二次電池から取得した前記充放電曲線、前記出力電圧、前記電流及び前記温度を前記蓄電装置毎に収集する集中管理システムと、
で構成されることを特徴とする前記（２）に記載の蓄電システム。
【符号の説明】
【００６０】
１…蓄電装置、２…パワーコンディショナ、３…電池モジュール、４…バッテリー管理部、５…エネルギー管理部、６…充放電曲線推定装置、７…電池温度測定部、８…特定負荷、９…電力系統、１１…電池（二次電池）、１２…セル監視部、１３…保護部、１４…演算制御部、１５…表示部、１６…サーバ、１７…インターフェース部、１８…ネットワーク通信網、１９…集中管理システム、２２…充電用電源部、２３…放電部、２４…放電用負荷部、２５…電圧測定部、２６…時間計測部、２７…推定演算処理部。
【図１】
2017220293.tif 000003
【図２】
2017220293.tif 000004
【図３】
2017220293.tif 000005
【図４】
2017220293.tif 000006
【図５Ａ】
2017220293.tif 000007
【図５Ｂ】
2017220293.tif 000008
【図５Ｃ】
2017220293.tif 000009
【図５Ｄ】
2017220293.tif 000010
【図５Ｅ】
2017220293.tif 000011
【図５Ｆ】
2017220293.tif 000012
【図６Ａ】
2017220293.tif 000013
【図６Ｂ】
2017220293.tif 000014
【図６Ｃ】
2017220293.tif 000015
【図６Ｄ】
2017220293.tif 000016
【図６Ｅ】
2017220293.tif 000017
【図６Ｆ】
2017220293.tif 000018
【図７】
2017220293.tif 000019